(57)【特許請求の範囲】
【請求項１】
付箋基材シートと前記付箋基材シートの一方面に位置された粘着剤層と前記付箋基材シートと重ね合わされて前記粘着剤層を剥離可能に被覆する剥離シートとが積層され一体のシート状とされ、
前記付箋基材シートに形成された切り込み線で囲まれる付箋部を有し、
その付箋部の一方端側が前記粘着剤層による粘着部とされ、他方端側が前記粘着剤層が設けられていないか又は糊殺しされて非粘着部とされ、
前記非粘着部は、疑似接着剤によって形成された剥離可能かつ剥離後に接着性を示さない疑似接着剤層を介して剥離シートに対して接着されている疑似接着部と、前記疑似接着剤層が設けられていないか又は疑似接着剤層が糊殺しされて剥離シートに対して接着されていない非疑似接着部とを有し、
前記非疑似接着部は、付箋部を囲む切り抜き線を周縁の一部とし、かつ、非疑似接着部に、切り込み線が切り込まれていないアンカット部を有していないこと、を特徴とする付箋シート。
【請求項２】
非粘着部にかかる部分にアンカット部を有していない請求項１記載の付箋シート。
【請求項３】
付箋部の全周にアンカット部を有していない請求項１又は２記載の付箋シート。
【請求項４】
疑似接着部と非疑似接着部との面積比が９５：５〜７０：３０である請求項１〜３の何れか１項に記載の付箋シート。
【請求項５】
付箋部の非疑似接着部にかかる部分のＪＩＳ  Ｐ  ８１４３に基づく剛度が１００〜６００ｃｍ3／１００である請求項１〜４の何れか１項に記載の付箋シート。
【請求項６】
切り込み線で囲まれる付箋部の平面視形状が、角丸四角形又は四角形であり、非粘着部にかかる部分に前記角丸四角形又は四角形の二つの角部が位置し、かつその二つの角部の一方が非疑似接着部にかかる部分にある請求項１〜５記載の付箋シート。
【請求項７】
複数の付箋部を有し、各付箋部の粘着部側と非粘着部側との位置関係が平面視で紙面に対してすべて同じ方向となっており、かつ、隣接する付箋部同士で切り込み線の一部が共有されるようにして、揃って並んでいる請求項１〜６記載の付箋シート。
【請求項８】
複数の付箋部を有し、
各付箋部の平面視形状が、角丸四角形又は四角形であり、
各付箋部が、非粘着部にかかる部分に前記角丸四角形又は四角形の二つの角部が位置しかつその二つの角部の一方が非疑似接着部にかかる部分にあり他方が疑似接着部にかかる部分にあり、
かつ、各付箋部が、疑似接着部にかかる角部と非疑似接着部にかかる角部の紙面に対する方向の位置関係が、すべて同じ位置関係となるようにして、揃って並んでいる請求項７記載の付箋シート。
【請求項９】
請求項１〜８記載の何れか１項に記載の付箋シートが添付されている付箋シートを添付されていることを特徴とする付箋シートが添付された冊子。
【請求項１０】
請求項８記載に記載の付箋シートが添付されている付箋シートを添付されている冊子であって、
各付箋部の非粘着部側が冊子の上下方向の何れかの側に位置し、かつ、各付箋部の疑似接着部側の角部が、前記上下方向に対して直交する方向の端にある冊子の綴じ込み側に位置するようにして、付箋シートが冊子に綴じ込まれていることを特徴とする付箋シートが添付された冊子。
【発明の詳細な説明】
【技術分野】
【０００１】
本発明は、付箋シート及び付箋シートが添付された冊子に関する。
【背景技術】
【０００２】
雑誌、商品カタログ、通信販売用カタログ等の冊子においては、文章の読み途中を把握するため、或いは商品カタログ等の掲載商品の購入候補に目印を付けるべく付箋が用いられる。
【０００３】
かかる付箋としては、一端に粘着剤が設けられた矩形紙片を複数枚重畳させて一体の付箋体されており、使用時に一枚一枚引き剥がして使用するものがよく知られる。
【０００４】
しかし、この種の付箋体は、付箋体と冊子とが別体であるため、冊子の読んでいる際に手元に付箋体がない場合があり利便性に劣るところがあった。
【０００５】
そこで、かかる利便性を改善すべく、一方面に粘着剤層を有する付箋基材と当該粘着剤層を被覆する剥離シートとが積層一体化されているとともに、前記付箋基材にハーフスリット等の切り込み線で囲まれる領域を複数設け、その領域の一部に非粘着部を設けることとして、付箋を平面的に複数配列した形態としたものが考え出されている（下記、特許文献１）。
【０００６】
この付箋シートは、シート状であるため、冊子の頁間に挟んでおいたり、より好ましくは冊子の任意の一頁としたりすることで、冊子と一体化して常に冊子とともにすることができ。
【０００７】
また、シート状であることから各付箋に模様や情報を設ける際には、シートの一方面に一回の印刷を行なうことで対応でき、さらに、一方面への切り込み線の形成のみで複数の付箋を形成することができるため、製造性の観点でも上記付箋体のものより優れるところがある。
【０００８】
しかし、従来のこの種の付箋シートでは、付箋が剥離シートからめくれ難いように切り込み線の一部にいわゆるアンカット部をもうけていた。このため、剥離シートから付箋を剥離する操作がし難く、剥離操作時に特に上記アンカット部に不要な力が加わって、付箋自体が破れて損傷することがあった。
【先行技術文献】
【特許文献】
【０００９】
【特許文献１】特許第３６６９１９０号公報
【発明の概要】
【発明が解決しようとする課題】
【００１０】
そこで、本発明の主たる課題は、付箋シートにおいて、付箋の意図しない剥離シートからの剥離を防止しつつ意図した剥離操作をし易くするとともに、分離操作時における付箋の損傷を防止することにあり、特に、冊子の任意の頁として当該冊子と一体化したものとしたときにおける、付箋の剥離シートからの意図しない剥離を防止しつつ付箋の剥離の剥離操作をし易くするとともに、分離操作時における付箋の損傷を防止することにある。
【課題を解決するための手段】
【００１１】
上記課題を解決した本発明とその効果は次記のとおりである。
＜請求項１記載の発明＞
付箋基材シートと前記付箋基材シートの一方面に位置された粘着剤層と前記付箋基材シートと重ね合わされて前記粘着剤層を剥離可能に被覆する剥離シートとが積層され一体のシート状とされ、
前記付箋基材シートに形成された切り込み線で囲まれる付箋部を有し、
その付箋部の一方端側が前記粘着剤層による粘着部とされ、他方端側が前記粘着剤層が設けられていないか又は糊殺しされて非粘着部とされ、
前記非粘着部は、疑似接着剤によって形成された剥離可能かつ剥離後に接着性を示さない疑似接着剤層を介して剥離シートに対して接着されている疑似接着部と、前記疑似接着剤層が設けられていないか又は疑似接着剤層が糊殺しされて剥離シートに対して接着されていない非疑似接着部とを有し、
前記非疑似接着部は、付箋部を囲む切り抜き線を周縁の一部とし、かつ、非疑似接着部に、切り込み線が切り込まれていないアンカット部を有していないこと、を特徴とする付箋シート。
【００１２】
＜請求項２記載の発明＞
非粘着部にかかる部分にアンカット部を有していない請求項１記載の付箋シート。
【００１３】
＜請求項３記載の発明＞
付箋部の全周にアンカット部を有していない請求項１又は２記載の付箋シート。
【００１４】
＜請求項４記載の発明＞
疑似接着部と非疑似接着部との面積比が９５：５〜７０：３０である請求項１〜３の何れか１項に記載の付箋シート。
【００１５】
＜請求項５記載の発明＞
付箋部の非疑似接着部にかかる部分のＪＩＳ  Ｐ  ８１４３に基づく剛度が１００〜６００ｃｍ3／１００である請求項１〜４の何れか１項に記載の付箋シート。
【００１６】
＜請求項６記載の発明＞
切り込み線で囲まれる付箋部の平面視形状が、角丸四角形又は四角形であり、非粘着部にかかる部分に前記角丸四角形又は四角形の二つの角部が位置し、かつその二つの角部の一方が非疑似接着部にかかる部分にある請求項１〜５記載の付箋シート。
【００１７】
＜請求項７記載の発明＞
複数の付箋部を有し、各付箋部の粘着部側と非粘着部側との位置関係が平面視で紙面に対してすべて同じ方向となっており、かつ、隣接する付箋部同士で切り込み線の一部が共有されるようにして、揃って並んでいる請求項１〜６記載の付箋シート。
【００１８】
＜請求項８記載の発明＞
複数の付箋部を有し、
各付箋部の平面視形状が、角丸四角形又は四角形であり、
各付箋部が、非粘着部にかかる部分に前記角丸四角形又は◇四角形の二つの角部が位置しかつその二つの角部の一方が非疑似接着部にかかる部分にあり他方が疑似接着部にかかる部分にあり、
かつ、各付箋部が、疑似接着部にかかる角部と非疑似接着部にかかる角部の紙面に対する方向の位置関係が、すべて同じ位置関係となるようにして、揃って並んでいる請求項７記載の付箋シート。
【００１９】
＜請求項９記載の発明＞
請求項１〜８記載の何れか１項に記載の付箋シートが添付されている付箋シートを添付されていることを特徴とする付箋シートが添付された冊子。
【００２０】
＜請求項１０記載の発明＞
請求項８記載に記載の付箋シートが添付されている付箋シートを添付されている冊子であって、
各付箋部の非粘着部側が冊子の上下方向の何れかの側に位置し、かつ、各付箋部の疑似接着部側の角部が、前記上下方向に対して直交する方向の端にある冊子の綴じ込み側に位置するようにして、付箋シートが冊子に綴じ込まれていることを特徴とする付箋シートが添付された冊子。
【発明の効果】
【００２１】
以上の本発明によれば、付箋シートにおける付箋の意図しない剥離シートからの剥離が防止されるとともに、意図した剥離操作がし易くなる。また、剥離操作時における付箋の損傷が防止される。また、冊子の任意の頁として当該冊子と一体化しても、付箋の剥離シートからの意図しない剥離が生じ難く、付箋の剥離操作はし易く、しかも剥離操作時における付箋の損傷もし難いものとなる。
【図面の簡単な説明】
【００２２】
【図１】本発明の付箋シートの第１の実施の形態の一部拡大平面図である。
【図２】本発明の付箋シートの第１の実施の形態の剥離シートを剥離した状態の裏面図である。
【図３】図１のＩＩ―ＩＩ断面拡大図である。
【図４】本発明の付箋シートの付箋部近傍を撓ませた態様を説明するための図である。
【図５】本発明にかかる付箋シートの他の断面構造を示す断面拡大図である。
【図６】複数の付箋部を有する本発明にかかる付箋シートの形態を示す平面図である。
【図７】複数の付箋部を有する本発明にかかる付箋シートの他の形態を示す平面図である。
【発明を実施するための形態】
【００２３】
次いで、本発明の実施の形態を図１〜７を参照しながら以下に詳述する。
〔付箋シートの第１の実施形態〕
本発明の付箋シートＸ１の第１の実施の形態を図１〜７を参照しながら説明する。
本発明の付箋シートＸ１は、特に図１〜図３から理解されるように、付箋基材シート１とこの付箋基材シート１の一方面に形成された粘着剤層２と剥離シート３とがこの順に位置されて積層されて一体のシート状とされている。
【００２４】
前記剥離シート３は前記粘着剤層２に対面する側の面の一部又は全部が適宜離型処理されるなどしており、前記粘着剤層と剥離シートの離型処理部分とが直接に対面する部分において、前記付箋基材シート１の粘着剤層２とが一体的に剥離シート３から剥離可能となっている。
【００２５】
他方、この付箋シートＸ１は、前記付箋基材シート１に切り込まれた切り込み線１０で囲まれる付箋部１Ｔが設けられており、この付箋部１Ｔは、一方端側が前記粘着剤層２による粘着部１Ａとされているとともに、他方端側が前記粘着剤層２が設けられていないか又は糊殺し処理されて非粘着部１Ｅとされている。糊殺し処理は特に限定されない。粘着剤層２の粘着力が発現しないようにする既知の種々の処理を採用できる。なお、粘着部は、付箋として冊子に貼付するための実質的な部分を意味し、粘着部の範囲内に一部粘着剤層のない抜き部分が存在する場合にはこの抜き部分をも含められる。
【００２６】
前記切り込み線１０の深さは、付箋基材シート１より剥離シート３側に位置する粘着剤層２にまで至っているのが望ましい。この切り込み線１０によって、当該線に沿って、切り込み線１０で囲まれる付箋部１Ｔが粘着剤層２とともに、付箋基材シート１のその他の部分から切断されるとともに、剥離シート３から剥離されて付箋シートＸ１から別体とされる。
【００２７】
ここで、前記付箋部１Ｔの非粘着部１Ｅには、剥離可能かつ剥離後に接着性を示さない疑似接着剤層４を介して剥離シートに対して接着されている疑似接着部４Ａと、前記疑似接着剤層４が設けられていないか又は疑似接着剤層４が糊殺しされて剥離シート３に対して接着されていない非疑似接着部４Ｂとを有している。
【００２８】
本発明の付箋シートＸ１では、非粘着部１Ｅに疑似接着部４Ａを設けたことにより、付箋部１Ｔが非粘着部１Ｅから意図せず、剥離シート３から剥離することが防止される。
【００２９】
また、前記非疑似接着部４Ｂは、付箋部１Ｔを囲む切り抜き線１０を周縁の一部としているとともに、非疑似接着部４Ｂには切り込み線１０が切り込まれていないアンカット部が設けられていない。
【００３０】
このように非粘着部１Ｅに非疑似接着部４Ｂを形成し、さらに、その周縁が付箋部１Ｔの周縁でもある切り込み線１０の一部とするとともに非疑似接着部４Ｂにアンカット部がないものとすることで、図３に示すように、付箋シートＸ１を特に付箋部１Ｔにかかる部分を撓ませるなどした際に、付箋部１Ｔの非粘着部１Ｅの非疑似接着部４Ｂの切り込み線１０がわが剥離シート３から浮くようになり、当該浮いた部分を摘みやすく、また引っ張りやすくなる。
【００３１】
付箋部１Ｔを付箋基材シート１の他の部分から完全に別体とするには、浮いた非疑似接着部４Ｂを摘んで引っ張ることで、疑似接着部４Ａにかかる疑似接着剤層４が凝集破壊されるなどして剥離シート３から分離され、さらに引っ張ることで粘着部１Ａと剥離シート３とが剥離シート３の離型処理面の機能によって剥離されて分離される。
【００３２】
ここで、付箋部１Ｔについては、非疑似接着部４Ｂ以外の疑似接着部４Ａ、粘着部１Ｅについては、付箋部１Ｔとその他の部分との間に切り込み線１０のないアンカット部が設けられていても、剥離操作・分離操作を行なう際にアンカット部を切断することができるが、付箋部１Ｔの非疑似接着部４Ｂ以外の部分にアンカット部がある場合、非疑似接着部４Ｂにかかる部分以外の部分を剥離シート３から剥離させる際に当該アンカット部を起点として付箋部１Ｔが破損するおそれがある。本発明では、疑似接着部４Ａによって付箋部１Ｔと剥離シート３との一体性が保持されているため、アンカット部を設けなくとも付箋部１Ｔが付箋基材シートの他の部分から意図せず剥離するということはない。したがって、本発明においては、少なくとも非粘着部１Ｅにかかる部分にはアンカット部を有する必要性がなく、このように構成するのがよい。さらに、粘着部１Ａの機能によって剥離シート３との一体性が良好であることから粘着部１Ａについても意図せず剥離シート３から剥離するおそれは小さいため、粘着部１Ａについてもアンカット部を設けないことが望ましい。つまり、この観点からのより好ましい形態は、図示例の如く、付箋部１Ｔの全周にアンカット部を有していない形態である。このように付箋部全周にアンカット部がなければ、付箋部１Ｔを剥離シート３から剥離させ、付箋基材シートの他の部分から分離させる際にアンカット部を起点として付箋部１Ｔが破れるおそれは完全になくなる。
【００３３】
ここで、疑似接着部４Ａと非疑似接着部４Ｂとの面積比は、９５：５〜７０：３０であるのが望ましい。疑似接着部４Ｂによって十分に剥離シートとの一体性が保持でき、また、非疑似接着部４Ａの浮きを良好とすることができる。
【００３４】
また、粘着部１Ａと非粘着部１Ｅの面積の比率は２０：８０〜７０：３０とするのが望ましい。この比率であれば冊子への貼付機能という付箋の本質的機能と本発明の効果の双方を十分に発揮することができる。
【００３５】
なお、付箋の一般的な大きさ、剥離操作時の摘みやすさ、非疑似接着部の浮かせやすさ等を考慮すると、非粘着部にかかる部分の切り込み線の具体的な長さは２０〜８０ｍｍ程度である。
【００３６】
さらに、本発明においては、より好ましくは、切り込み線１０で囲まれる付箋部１Ｔの平面視形状について、付箋部１Ｔの少なくとも非疑似接着部４Ｂにかかる部分に角部がある形状とするのが望ましい。このように角部があると、当該角部を起点として付箋部１Ｔの非疑似接着部４Ｂが剥離シート３から浮きやすくなり非疑似接着部４Ｂを摘みやすくなる。
【００３７】
特には、付箋シートＸ１は、切り込み線１０で囲まれる付箋部１Ｔの平面視形状が、角丸四角形又は四角形であり、非粘着部１Ｅにかかる部分に前記角丸四角形又は四角形の二つの角部１３，１３が位置し、かつその二つの角部の一方が非疑似接着部４Ｂにかかる部分にあり、他方が疑似接着部４Ａにかかる部分にあるのものとするのが望ましい。（図１では代表的に付箋部１Ｔの平面視形状が角丸四角形の形態を示す）。かかる付箋シートＸ１では、非疑似接着部４Ｂにかかる角部１３を起点として非疑似接着部４Ｂを浮かせやすく、剥離操作がしやすいものとなるとともに、疑似接着部４Ａにかかる角部については浮きがたく意図しない剥離が効果的に防止される。また、かかる四角形、角丸四角形は、切り込み線１０の形成が容易となる利点もある。
【００３８】
なお、本発明にかかる付箋シートＸ１における付箋部１Ｔの平面視形状は、上記形態に限られるわけではなく、図示はしないが、楕円、真円、粘着側端及び／又は非粘着側端が円弧である形状とすることもでき、さらに本発明の効果を妨げない範囲で適宜の形状とすることができる。
【００３９】
他方、本発明の付箋基材シート１の素材としては、特に限定されることなく、この種の付箋シートに用いられる適宜のシートの素材とすることができる。具体例としては、クラフト紙、上質紙、グラシン紙、パーチメント紙、レーヨン紙、コート紙、樹脂製フィルムシート、各種紙とフィルムとの積層シート等を使用することができる。
【００４０】
また、付箋基材シート１の粘着剤層２が位置する面と反対面には、付箋部１Ｔの視認性、装飾性を向上させるべく、また付箋部１Ｔの機能を視覚的に理解されやすくすべく、種々の模様な情報を印刷によって設けることができる。この場合には、例えば、フレキソ印刷、オフセット印刷、グラビア印刷等の既知の印刷技術により模様、情報を印刷することができる。
【００４１】
他方、本発明にかかる粘着剤層２は、既知の粘着剤を用いて形成される。粘着剤の具体例としては、ホットメルト粘着剤、アクリル系粘着剤、天然ゴム系粘着剤、合成ゴム系粘着剤、シリコーン系粘着剤等が挙げられる。なお、これらの粘着剤のなかで最も好ましいのは乾燥性に優れるとともに、乾燥後に紙面の凹凸が発現しがたく印刷適性に優れる付箋シートとすることができるホットメルト粘着剤である。
【００４２】
また、前記粘着剤層２は、前記付箋基材シート１に対して、付箋部１Ｔの形状及びその位置に対応すべく既知の粘着剤をパターン塗工、印刷することで設けることができる。
【００４３】
なお、付箋部１Ｔにかからない部分における粘着剤層２の配置態様については本発明では限定されないが、付箋部Ｔ１の非疑似接着部４Ｂの浮きをより好ましく行なうためには、付箋基材シート１と剥離シート３との積層一体性が良好であるのが望ましいことから、付箋部１Ｔにかからない部分においても適宜粘着剤層２が設けられているのが望ましい。特に、特に非疑似接着部４Ｂの外方周縁部分が浮かないようにすべく、また非粘着部１Ｅの剥離操作がしやすいようにすべく、少なくとも非粘着部１Ｅの外方周縁部分に粘着剤層２が位置されて、当該外方周縁部分と剥離シート３との一体性が高められているのが望ましい。但し、切り込み線を介して機能する疑似接着部４Ｂの浮きを良好とすべく、非粘着部１Ｅの外方周縁部に粘着剤層を位置させる場合には、切り込み線から非粘着部１Ｅの外方周縁部、特に非疑似接着部４Ｂの外方周縁部外から、付箋部１Ｔ外の粘着剤層までの間に０．１ｍｍ以上、好ましくは０．５ｍｍ以上の間隔があるのが望ましい。図示例では、非粘着部１Ｅとその付箋部外方の所定範囲を除く部分の全体に粘着剤層２が形成されており、当該付箋部１Ｔの粘着部１Ａと付箋部１Ｔ以外の粘着剤層２とが一体的となっている。なお、付箋部１Ｔの当該外方周縁部分に疑似接着剤層４を設けても同様の効果が得られる。
【００４４】
ここで、粘着剤層２は、付箋部１Ｔを付箋として冊子などの対象物に貼付する際の粘着力、剥離強度を適宜の値に調整すべく、粘着剤を平面視で網目状、格子状、点在状に配してもよいし、粘着剤を塗工して層を形成した後に、これに重ねて平面視で網目状、格子状、点在状に糊殺し層を設けたものであってもよい。粘着剤層２の厚さは、特に限定されないが、１０〜５０μｍ、好ましくは２０〜３０μｍ程度である。１０μｍ以下だと粘着力が不足し、付箋の機能を果たさなくなるおそれがあり、５０μｍ以上になると粘着剤層２を形成するのが困難となることがある。
【００４５】
他方、本発明にかかる剥離シート３は、クラフト紙、上質紙、グラシン紙、パーチメント紙、レーヨン紙、コート紙等の剥離基材シートの少なくとも粘着剤層２に対面する一方面が離型処理された剥離紙を用いることができる。離型処理は離型処理剤の塗工・印刷によって行なうことができる（図３において離型処理剤の層は３Ａで示す）。
【００４６】
離型処理剤の具体例としては、シリコーン、長鎖アルキルポリマー、ポリオレフィン、アルキド樹脂、フッ素化合物等の既知の離型処理剤を用いることができる。剥離性の調整のために、離型処理剤は、平面視で網目状、格子状、点在状に配してもよい。離型処理剤によって形成される層の厚さは、特に限定はされないが、通常０．１〜１０μｍである。
【００４７】
また、剥離シート３は、剥離紙のほか素材そのものが粘着剤に対して剥離可能な樹脂製フィルムや樹脂製フィルムと紙との積層シート、紙に樹脂層を設けたラミネート紙などを用いることもできる。
【００４８】
他方、本発明にかかる疑似接着剤層４は、既知の疑似接着剤を用いて形成することができる。
【００４９】
疑似接着剤層４は、付箋部１Ｔの剥離シート３からの剥離が可能であり、かつ剥離後に付箋部１Ｔの当該疑似接着剤層４にかかる部分が接着性を示さないものであればよく、付箋部１Ｔの剥離後に付箋部１Ｔと剥離シート３とで疑似接着剤層４がどちらに残るかは問題とされない。また、疑似接着剤層４がいわゆる凝集破壊されて層が裂けるような態様で剥離されるものであってもよい。
【００５０】
前記疑似接着剤の具体例としては、ホットメルト接着剤にシリコーンを配合するなどして再接着性を低下させたホットメルト系疑似接着剤、天然又は合成ゴム系、アクリル系、シリコン系、ポリウレタン系、ポリエステル系、有機溶剤系、エマルジョン系の非剥離性接着剤に亜鉛華、酸化チタン、シリカ、炭酸カルシウム等の既知の微粒子充填剤を配合した疑似接着剤、水溶性エマルジョン系疑似接着剤などが挙げられる。なお、好ましくは、紙層内への浸透性が弱く、乾燥後は粘着性を示さないことから、疑似接着剤層の凝集破壊による好適な剥離機構を構築できる、仮止め接着剤とも称されるポリプロピレン酢酸ビニル共重合物の水性エマルションを主成分とする疑似接着剤である。
【００５１】
疑似接着剤層４は、前記付箋基材シート１に対して、疑似接着剤を付箋部１Ｔの形状及びその位置に対応すべく既知のパターン塗工、印刷することで設けることができる。また、疑似接着剤層４を形成すべく剥離シートの疑似接着部に対応する部分に一部離型処理されていない部分や離型性を消失させた糊殺し処理部を形成してもよい。また、疑似接着力の調整のため、疑似接着剤層４は、平面視で網目状、格子状、点在状に配してもよい。
【００５２】
なお、本発明の付箋シートＸ１にかかる粘着剤層と疑似接着剤層を有する層構造は既知の層形成方法により形成すればよく、層形成態様は特に限定されない。層形成態様は、いくつか例示すると、（１）付箋基材シート１の一方面に粘着剤層２と通常の接着剤の層を形成し、これに対して上記剥離紙３など予め一方面が前記粘着剤層２及び接着剤の層に離型性を示す面を有する剥離シート３を重ね合わせて積層一体化して、前記接着剤の乾燥によって再接着性を消失させるとともに剥離紙の離型処理面機能で当該接着剤層からの剥離性を確保して形成される接着剤による疑似接着剤層４を形成する態様（この態様は、図３のような層構造となる）、（２）付箋基材シート１の一方面に粘着剤層２と仮止め接着剤等の疑似接着剤による層を形成し、これに対して予め一方面の前記粘着剤層２に対応する部分を離型処理し、疑似接着剤の層に対応する部分に離型処理をしていない剥離シート３を重ね合わせて積層一体化して、前記疑似接着剤の層を凝集破壊等する疑似接着剤層４として形成する態様（図５に示される形態となる）や、図示はしないが（３）付箋基材シート１の一方面に粘着剤層２を形成し、これに重ねて適宜の位置に糊殺し処理して粘着性を弱めることで疑似接着剤層４を形成し、さらに上記剥離紙３など予め一方面が前記粘着剤層２に離型性を示す面を有する剥離シート３を重ね合わせて積層一体化する態様等などの既知の層形成態様が挙げられる。
【００５３】
他方、本発明においては、付箋基材シート１への粘着剤層２、疑似接着剤層４の浸透、剥離基材シート１への強接着剤層３Ｂ、疑似接着剤層４の浸透を防止して、粘着剤、強接着剤、離型処理剤、疑似接着剤の使用量を低下させてコストを低減させるべく付箋基材シート１の粘着剤層面側、剥離基材シート３Ａの付箋基材シート面側に、適宜目止め剤を塗工・印刷して目止め層（図示はしない）を形成してもよい。目止め剤としては、例えば、コート紙等の塗工紙に使用される無機顔料や有機顔料とこれらを接着するための水溶性高分子やラテックスと必要に応じて加えられる滑剤等の助剤とを含む塗工液、酸化重合タイプのオフセット印刷インキに各種油脂類を加えたもの、熱乾燥タイプの印刷インキに各種油脂類を加えたもの、ＵＶ硬化型インキ等を使用することができる。
【００５４】
他方、本発明の付箋シートＸ１では、粘着剤層２と剥離シート３との剥離強度は、ＪＩＳ  Ｚ  ０２３７の１０にある１８０度引き剥し粘着力の測定において４〜３０Ｎ／２５ｍｍ、好ましくは６〜２０Ｎ／２５ｍｍとするのが望ましい。付箋部の剥離がしやすくなる。なお、上記剥離強度は、付箋部１Ｔにある疑似接着剤層４及びアンカット部を形成する場合にはこのアンカット部を考慮しない数値である。
【００５５】
他方、本発明の付箋シートＸ１では、付箋部１Ｔの非疑似接着部４Ｂにかかる部分のＪＩＳ  Ｐ  ８１４３に基づく剛度（クラーク剛度、縦方向）が１００〜６００ｃｍ3／１００であるのが望ましい。
【００５６】
なお、ここでの付箋部１の非疑似接着部４Ｂの剛度とは、付箋部１Ｔの剥離シート側の層構造に関係なく、剥離シート３のみを除いた部分の剛度である。すなわち、付箋部１Ｔの非疑似接着部４Ｂに粘着剤層２や疑似接着剤層４を配しない態様では、付箋基材シート１のみの剛度であり、粘着剤層２や疑似接着剤層４を設けつつ糊殺し処理によって接着性或いは粘着性を殺した態様では、そのような層をも含めての剛度である。
【００５７】
付箋シートＸ１が上記剛度であると、付箋シートＸ１の付箋部形成面側が凸となるように撓ませる操作をすると、付箋部１Ｔの非疑似接着部が剥離シートから剥離して浮きやすくなり、もって非疑似接着部４Ｂが摘みやすくなり、付箋部１Ｔの剥離操作及びその他の部分からの切り取り操作がし易くなる。また、付箋部１Ｔの非疑似接着部４Ｂの剛度が、この範囲外であると、付箋シートＸ１の撓みに追従して非疑似接着部４Ｂが変形し、非疑似接着部４Ｂの剥離シートからの浮きが生じないことがある。
【００５８】
他方、本発明の付箋シートＸ１では、複数の付箋部１Ｔ，１Ｔ…を有するものとすることができる。この場合、図６に示されるように、各付箋部１Ｔ，１Ｔ…が離間しているとともに、各付箋部１Ｔ，１Ｔ…が、すべて粘着部１Ａ，１Ａ…と非粘着部１Ｅ，１Ｅ…との位置関係と、疑似接着部４Ａ，４Ａ…と非疑似接着部４Ｂ，４Ｂ…の位置関係を、平面視で紙面に対してすべて同様となっているようにすることができる。
【００５９】
より具体例をもって説明すると、付箋シートＸ１の付箋基材シート１面に模様や情報が印刷されて紙面の上下方向が理解される場合、複数の付箋部１Ｔ，１Ｔ…のすべてについて、それらの非粘着部１Ｅ，１Ｅ…が紙面の上方又は下方に位置し、複数の付箋部１Ｔ，１Ｔ…のすべてについて、非似接着部４Ｂ，４Ｂ…が紙面の左右方向の何れかに位置するような形態とすることができる。
【００６０】
このようにすると、付箋部１Ｔ，１Ｔ…が整然と並んでいることから視認性に優れるとともに、各付箋部１Ｔ，１Ｔ…の剥離操作がすべて同じ方向に引っ張る操作となるため剥離操作を理解するさいに煩雑さがなく、また、一つの付箋部１Ｔの剥離操作をした際に、他の付箋部１Ｔ，１Ｔ…が意図せず剥離するなどの悪影響がない。
【００６１】
また、複数の付箋部１Ｔ，１Ｔ…を有するものとする場合には、上記各付箋部が互いに離間している形態の他、図７に示すように、各付箋部１Ｔ，１Ｔ…の粘着部１Ａ，１Ａ…と非粘着部１Ｅ，１Ｅ…との位置関係が平面視で紙面に対してすべて同様となっているとともに、隣接する付箋部同士で切り込み線１０の一部を共有するようにして配列することができる。このような切り込み線１０を共有する場合、疑似接着部４Ａがないと一つの付箋部１Ｔの剥離操作をした際に隣接する付箋部１Ｔもつられて剥離されてしまうおそれがあるが、本発明では、疑似接着部４Ａによって各付箋部１Ｔ，１Ｔ…が剥離シート３に対して接着されているためこのような事故は生じない。また、この形態では、付箋基材シート１の紙面を有効に利用することができる。
【００６２】
さらに、上記複数の付箋部１Ｔ，１Ｔ…を有する場合において、図７に示されるとおり、各付箋部１Ｔ，１Ｔ…の平面視形状が角丸四角形又は四角形であり、各付箋部１Ｔ，１Ｔ…の非粘着部１Ｅ，１Ｅ…にかかる部分に前記角丸四角形又は四角形の二つの角部１３，１３が位置し、かつ各付箋部１Ｔ，１Ｔについて二つの角部１３，１３の一方が非疑似接着部４Ｂにかかる部分にあり他方が疑似接着部４Ｂにかかる部分にある形態とするのであれば、各付箋部１Ｔ，１Ｔ…が、疑似接着部４Ａにかかる角部１３と非疑似接着部４Ｂにかかる角部１３の紙面に対する方向の位置関係を同様にして揃って並んでいるのが望ましい。
【００６３】
他方、本発明にかかる付箋シートＸ１は、一枚のシート状をなすことから、冊子に添付するにあたって、冊子の頁間に挿入させて添付することができる。
【００６４】
特に冊子との一体性を高めるべく、付箋シートＸ１の端縁部を冊子の他の頁と一体に綴じ込むことで、冊子の任意の頁として構成することができる。
【００６５】
ここで、このような任意の頁とする場合においては、上記の図７の形態の付箋シートでは、各付箋部１Ｔ，１Ｔ…の非粘着部１Ｅ，１Ｅ…が冊子の上下方向の何れかの側に位置しかつ非疑似接着部４Ｂ，４Ｂ…がある側が冊子の綴じ込み側と反対側に位置するようにして、付箋シートＸ１を冊子に綴じ込むようにするのが望ましい（図７において冊子に綴じ込む場合の綴じ込み側は二点鎖線矢印でしめしている）。通常、冊子では綴じ込まれていない自由端側を強く撓ませることができるので、かかる綴じ込み側と非疑似接着部４Ｂ，４Ｂ…との位置関係とすると付箋部１Ｔの非疑似接着部の近傍が浮きやすく、剥離操作・分離操作がし易くなる。
【００６６】
ここで、本発明にかかる付箋シートＸ１の特に付箋部１Ｔを付箋として使用する態様について説明しておくと、本発明にかかる付箋シートＸ１では、まず上記説明のとおり付箋シートＸ１を付箋基材シート側が凸となるようにして撓ませることにより、付箋部１Ｔの非疑似接着部４Ｂを剥離シート３から浮かせ、その浮いた部分を摘んで引っ張り、疑似接着剤層４Ａに係る部分を剥離シート３から剥離し、さらに、引っ張って粘着部１Ｅかかる部分を剥離シート３から剥離して、当該付箋部１Ｔを前記付箋基材シート１の他の部分から分離別体化して、一つの付箋とする。そして、その付箋の粘着部１Ａを冊子の任意の頁に対して、非粘着部１Ｅが冊子の任意の頁の外方に露出するようにして接着させる。
【００６７】
冊子を読む者は冊子を閉じたのちにも当該任意の頁の外方に露出する非粘着部１Ｅを目印として、当該頁を再度素早く開くことができるようになる。
【００６８】
なお、本発明にかかる疑似接着部４Ａは剥離後には接着性を示さないので、冊子に添付した後に付箋部１Ｔに疑似接着部層４が残っていても問題はない。
【符号の説明】
【００６９】
Ｘ１…付箋シート、１…付箋基材シート、１Ｔ…付箋部、１Ａ…粘着部、１Ｅ…非粘着部、２…粘着剤層、３…剥離シート、３Ａ…離型処理剤層、３Ｃ…剥離基材シート、４…疑似接着剤層、４Ａ…疑似接着部、４Ｂ…非疑似接着部、１０…切り込み線、１３…角部。
【図１】
0005693918.tif 000002
【図２】
0005693918.tif 000003
【図３】
0005693918.tif 000004
【図４】
0005693918.tif 000005
【図５】
0005693918.tif 000006
【図６】
0005693918.tif 000007
【図７】
0005693918.tif 000008